(57)【要約】      （修正有）【課題】食器洗い及び米洗いを自動化し負担を軽減する食器洗浄洗米機を提供する。【解決手段】食器洗浄機と洗米機の共用した駆動用モーター１を、自動稼動停止センサーｅ及び電源スイッチｆをそなえたモーター保護カバー兼用コントロールボックスｈ内に格納する。洗米機は透明な円筒状であり外筒と内筒の二重構造となっており、内筒はスクリュー４を内蔵し、外筒にはハッチ式給水口７、ハッチ式米の挿入口５及び蓋６を設ける。食器洗浄機側のモーター軸はモーター保護カバー兼用コントロールボックスｈ内で回転用ギヤａを経由し回転軸ｂに接続しており、回転軸ｂの内部には給水パイプｄが通っていて上端には交換式食器洗い具ｃを設けており、コントロールボックスの上には洗水排水受け皿容器ｇを設ける。【選択図】図１
0003161972.tif 000002
【実用新案登録請求の範囲】
【請求項１】
食器洗浄機と洗米機を一体化したものであり
（イ）共用した駆動用モーター（１）を設け当該モーター軸の一方は洗米機に接続され、      もう一方は食器洗浄機に接続されている。
（ロ）共用した駆動用モーターは自動稼動停止センサー（ｅ）及び電源スイッチ（ｆ）を      そなえたモーター保護カバー兼用コントロールボックス（ｈ）内に格納している。
（ハ）洗米機は透明な円筒状であり外筒と内筒の二重構造となっている。
（ニ）内筒は回転し米を撹拌するためのスクリュー（４）を内蔵している。
（ホ）外筒にはハッチ式給水口（７）、ハッチ式米の挿入口（５）及び蓋（６）を設けて      いる。
（ヘ）洗米機は洗米機台（８）で支えている。
（ト）食器洗浄機側のモーター軸はモーター保護カバー兼用コントロールボックス（ｈ）      内で回転用ギヤ（ａ）を経由し回転軸（ｂ）に接続している。
（チ）回転軸（ｂ）の内部には給水パイプ（ｄ）が通っていて上端には交換式食器洗い具      （ｃ）を設けている。
（リ）コントロールボックスの上には洗水排水受け皿容器（ｇ）を設けている。
（ヌ）装置は一体受け台（１０）上にセットしている。
上記（イ）から（ヌ）より構成された駆動モーターを共用する食器洗浄機と洗米機を一体化した食器洗浄洗米機。
【考案の詳細な説明】
【技術分野】
【０００１】  本考案は駆動モーターを共用することにより食器洗浄機と米洗機を一体化するものであり、容易かつ衛生的に洗米すると伴に食器洗いも同一の装置で行えることを目的とする装置に関するものである。
【背景技術】
【０００２】  従来の洗米は一般的には食事前に釜に米を入れて手で撹拌して糠をある程度洗い落とすためにこれを数回繰り返していたがこの方法では時間がかかるほか水の冷たい冬の時期には手が荒れてひび割れにより痛みがでるなどの苦労をした。食器も手で洗うことにより同様の苦労をした。
【考案の概要】
【０００３】  共用するモーターを中心に一方の駆動軸に食器洗浄器を接続、もう一方の駆動軸には洗米機を接続、配置一体化しそれぞれの目的に応じて食器洗浄機にあっては食器洗い具を回転させ、洗米機ついては米洗い用のスクリューを回転させるようになっている。
このように食器洗浄機部分と洗米機部分は共用モーターを中央に左右に分かれている。
【考案が解決しようとする課題】
【０００４】従来手作業で行っていた食器洗い及び米洗いをモーターを動力として自動化し負担を軽減する。
【課題を解決するための手段】
【０００５】  食器洗浄機は洗米機とモーターを共用しモーター軸よりギヤを通して軸を回して先端の回転する食器洗い用具に食器を押し付けて洗う。その先端部分から水が出る仕組みになっていて洗い水は下の排水容器にたまり排水パイプを通り外部に排水される。
一方の洗米機は食器洗浄機に使用するモーター軸とは反対側の軸の先に米撹拌スクリューを設け当該スクリューは米洗い用容器内に格納されている。米洗い用容器は透明な円筒状で内筒と外筒の二重構造になっており外筒には給水口と米投入口を設け米は内筒中で洗うようになっている。
【考案の効果】
【０００６】  洗米機と食器洗浄機がセットになったので場所と経費が軽減される。従来は洗米するため手で米と水を撹拌していたが動力としてモーターを利用する方法を考え食器洗浄機は同一のモーターを利用した。
本考案により従来手作業で行っていた食器洗いや米とぎ後に生じた冷たい水の影響による手荒れの苦痛を解消し労力を軽減し余った時間を他の家事にまわす事が出来る。
【図面の簡単な説明】
【０００７】
【図１】全体図。
【図２】洗米機部分の拡大図。
【図３】食器洗浄機部分の拡大図
【考案を実施するための形態】
【０００８】    食器洗浄機部分と洗米機部分は共用モーターを中央に左右に分かれている。
洗米機は米の撹拌状態を見ながら透明の中で確認し撹拌時間は数秒で良い。
米の挿入排出は前後に回転する両側についてある金具によって出来る。
洗米機部分の構成
（３）洗米機は全体が円筒状の内部の米が外部より見える透明な容器である。
（４）は米を撹拌するスクリューで小型モーターで回転する。
（２）はモーターとスクリューを回す回転シャフトであり連結部分は簡単に取り外すことができる。
（３）は洗米機容器カバー
（４）は米撹拌スクリュー
（５）はハッチ式米の挿入口
（７）はハッチ式給水口
（８）は洗米機台
（１０）は一体受け台
食器洗い機部分の構成
（１）電動モーターは洗米機モーターも兼用する。
（ａ）  回転用ギヤ
（ｂ）  回転軸
（ｃ）  交換式食器洗い具部品
（ｄ）  給水パイプ（ｂ）の回転軸内部を通る
（ｅ）  自動稼動停止用センサー
（ｆ）  電源スイッチ
（ｇ）  洗水排水受け皿容器
上記構成部分を一体化した家庭用洗浄洗米機である。
【実施例】
【０００９】  以下本考案の使用方法について説明する。【００１０】洗米機について
（イ）第一は必要な量の米を（３）の洗米機容器を前方に倒し（５）のハッチを開けて米を入れる。そのとき（２）の回転シャフトの止め金をはずしてから前方に倒す。
（ロ）水を（７）のハッチよりいれる。
（ハ）米の用意ができたら元のシャフト（７）に接続しモーターとの連結を確認し（ｆ）の電源スイッチを入れる。数秒後米の撹拌状態を見てスイッチを切る。（２）の連結金具をはずし（９）の容器を後方に倒し米を取り出す。そのとき（７）の水入れから水を入れて米を押し流すと簡単に流れる。その後（７）の容器に水を入れて水を流し完了となる。
食器洗浄機について
先端についている洗い具（ｃ）に洗う食器を接して洗う。そのとき（ｂ）の回転軸がまわり（ｃ）の先端を回す，先端部分より（ｄ）の給水パイプを通り水がでる。（ｅ）は自動稼働・停止センターである。センサーによって電源（ｆ）に作動する安全方法である。水も止まるこの繰り返しによって洗浄が出来る。従来の市販されているものは高価で時間が長く本考案はこの問題を解決できる。
【符号の説明】
【００１１】洗米機部分
１  駆動用モーター
２  回転シャフト
３  洗米機内カバー
４  米撹拌スクリュー
５  ハッチ式米の挿入口
６  米挿入口蓋
７  ハッチ式給水口
８  洗米機台
９  洗米機回転受け金具
１０  一体受け台
１１  電源スイッチ
１２  ハッチ蓋止め具
食器洗浄機部分
ａ  回転用ギヤ
ｂ  回転軸
ｃ  交換式食器洗い具部品
ｄ  給水パイプ
ｅ  自動稼動停止用センサー
ｆ  電源スイッチ
ｇ  洗水排水受け皿容器
ｈ  モーター保護カバー兼用コントロールボックス
ｉ  排水口
【図１】
0003161972.tif 000003
【図２】
0003161972.tif 000004
【図３】
0003161972.tif 000005
【手続補正書】
【提出日】平成22年5月20日(2010.5.20)
【手続補正１】
【補正対象書類名】実用新案登録請求の範囲
【補正対象項目名】全文
【補正方法】変更
【補正の内容】
【実用新案登録請求の範囲】
【請求項１】
食器洗浄機と洗米機を一体化したものであり、
（イ）共用した駆動用モーター（１）を設け当該モーターの軸の一方は洗米機に接続され、もう一方は食器洗浄機に接続されており、
（ロ）共用した駆動用モーターは自動稼動停止センサー（ｅ）及び電源スイッチ（ｆ）をそなえたモーター保護カバー兼用コントロールボックス（ｈ）内に格納されており、
（ハ）洗米機は透明な円筒状であり外筒と内筒の二重構造となっており、
（ニ）内筒は回転し米を撹拌するためのスクリュー（４）を内蔵しており、
（ホ）外筒にはハッチ式給水口（７）、ハッチ式米の挿入口（５）及び蓋（６）を設けており、
（ヘ）洗米機は洗米機台（８）で支えており、
（ト）食器洗浄機側のモーター軸はモーター保護カバー兼用コントロールボックス（ｈ）内で回転用ギヤ（ａ）を経由し回転軸（ｂ）に接続しており、
（チ）回転軸（ｂ）の内部には給水パイプ（ｄ）が通っていて上端には交換式食器洗い具（ｃ）を設けており、
（リ）コントロールボックスの上には洗水排水受け皿容器（ｇ）を設けており、
（ヌ）装置は一体受け台（１０）上にセットしている、
上記（イ）から（ヌ）より構成された駆動モーターを共用する食器洗浄機と洗米機を一体化した食器洗浄洗米機。